(57)【要約】【課題】直進ガイド筒とカム筒の外側に直進筒が配置される構成において、公差による部品バラつきが生じても、倒れ変動を解消するための調整を可能としたレンズ鏡筒及びそれを有する光学機器を提供する。【解決手段】レンズ鏡筒で、直進溝の形成された直進ガイド筒と、カム溝の形成されたカム筒と、前記直進ガイド筒および前記カム筒の外側にあって、レンズを保持すると共に、前記直進ガイド筒と前記カム筒の相対移動により光軸方向に移動する直進筒と、前記直進溝、前記カム溝に夫々係合する中心軸が互いに偏心した第１の円筒部、第２の円筒部、および前記直進筒の外側から前記第１の円筒部及び前記第２の円筒部を回転操作可能な操作部を備えるカムフォロアと、前記カムフォロアと前記直進筒と、を連結する連結部材と、を有する。【選択図】図１
2015028599.tif 000002
【特許請求の範囲】
【請求項１】
直進溝の形成された直進ガイド筒と、
カム溝の形成されたカム筒と、
前記直進ガイド筒および前記カム筒の外側にあって、レンズを保持すると共に、前記直進ガイド筒と前記カム筒の相対移動により光軸方向に移動する直進筒と、
前記直進溝、前記カム溝に夫々係合する中心軸が互いに偏心した第１の円筒部、第２の円筒部、および前記直進筒の外側から前記第１の円筒部及び前記第２の円筒部を回転操作可能な操作部を備えるカムフォロアと、
前記カムフォロアと前記直進筒と、を連結する連結部材と、
を有することを特徴とするレンズ鏡筒。
【請求項２】
前記直進ガイド筒の外側に前記カム溝が位置することを特徴とする請求項１に記載のレンズ鏡筒。
【請求項３】
前記カム筒の外側に前記直進ガイド筒が位置することを特徴とする請求項１に記載のレンズ鏡筒。
【請求項４】
前記操作部は、前記第２の円筒部の中心軸を回転軸として前記第１の円筒部を回動させることにより前記直進筒の位置を調節可能であることを特徴とする請求項１乃至３のいずれか１項に記載のレンズ鏡筒。
【請求項５】
前記カムフォロアは、前記直進筒の周方向に複数個設けられることを特徴とする請求項１乃至４のいずれか１項に記載のレンズ鏡筒。
【請求項６】
前記カムフォロアは、前記第１の円筒部、前記第２の円筒部、および前記操作部と共に一体化されていることを特徴とする請求項１乃至５のいずれか１項に記載のレンズ鏡筒。
【請求項７】
前記直進筒は、前記カムフォロアを前記直進筒に対して固定する固定部と、前記連結部材を挿通する穴部とを備えることを特徴とする請求項１乃至６のいずれか１項に記載のレンズ鏡筒。
【請求項８】
前記連結部材は、前記第１の円筒部、前記第２の円筒部の少なくとも一つも連結することを特徴とする請求項１乃至７のいずれか１項に記載のレンズ鏡筒。
【請求項９】
前記カム溝は、ズーミング、もしくはフォーカシングによって使用位置が変化したときに、前記直進溝との為す角の正負の符号が反転することを特徴とする請求項１乃至８のいずれか１項に記載のレンズ鏡筒。
【請求項１０】
請求項１乃至９のいずれか１項に記載のレンズ鏡筒を有することを特徴とする光学機器。
【請求項１１】
請求項１乃至９のいずれか１項に記載のレンズ鏡筒と、前記レンズ鏡筒により形成された光学像を光電変換する撮像素子を有するカメラ装置と、を備えることを特徴とする光学機器。
【発明の詳細な説明】
【技術分野】
【０００１】
本発明は、レンズ鏡筒及びそれを有する光学機器に関するものである。
【背景技術】
【０００２】
従来から、レンズ保持筒を光軸方向に移動させる構造として、カム筒と直進ガイド筒を相対変位させる構造が知られる。すなわち、特許文献１では、カム筒のカム溝に係合するコロ部（円筒部）と直進ガイド筒の直進溝に係合するキー部とを備えるカムフォロアが、レンズを保持する直進筒に取り付けられて直進繰り出しされている。
【０００３】
この特許文献１においては、直進筒がカム筒と直進ガイド筒に対して外側に配置されており、カムフォロアはビスによって引き込んで直進筒に固定されている。こういった構成を取る場合、各構成部品の部品精度（＝公差）の影響により、レンズ保持筒である直進筒に保持されるレンズが理想的な光軸からずれる偏芯や倒れといった現象が発生し、光学性能の劣化の原因となっていた。
【０００４】
カム筒に形成されるカム溝は、ズーミング、もしくはフォーカシング時のレンズユニットの移動軌跡によって定められている。そして、レンズ構成によっては広角側と望遠側、もしくは無限側と至近側でカム溝と直進溝のなす角（＝交角）の正負が変わる、所謂Ｕターンカムを構成する場合がある。
【０００５】
例えば、カム溝、及び直進溝の公差の一つである溝の角度公差（等分差）によって、カム溝の理想的な使用位置から外れた位置でカムフォロアによって吊られることになり、レンズ保持枠である直進筒の倒れと偏芯が発生する。特にＵターンカムを構成するカムに吊られるレンズ保持枠である直進筒においては、広角側と望遠側、もしくは無限側と至近側で交角が反対となるため、それに伴って、倒れの変化も正負逆となり、変化量が大きくなりやすい。
【０００６】
こういった光学性能の劣化に影響を与えるレンズ群では、一般的に、光学性能を評価項目として各レンズ群の偏芯調整や倒れ調整を行うことが行われる。しかし、Ｕターンカムを構成するレンズ群においては、例えば望遠側や無限側の光学性能を向上させるために、レンズ群の偏芯調整や倒し調整を行うと、望遠側や無限側は光学性能が向上するが、反対の広角側や至近側で逆方向の倒れが発生する。このために、通常のＵターンしないカム溝を使用したとき以上に光学性能が劣化することになる。
【０００７】
そのため、上記のようなＵターンカムを構成し、且つ、いずれかのレンズ群、またはレンズ群全体によって光学性能を調整するときのＵターンカムによる交角の変化は、光学性能の劣化が顕著となることが知られている。
【０００８】
そのため、例えば上記直進溝やカム溝の等分差の公差によるバラツキを調整すれば、Ｕターンカムによる倒れ変動を抑制することが可能である。例えば、カム筒のカム溝に係合するコロ部（円筒部）を直進ガイド筒の直進溝に係合するキー部に対して偏芯させ、等分差の公差によってずれた周方向のズレを調整する方法が知られている。
【０００９】
また特許文献２においては、第１の円筒部（カム溝と直進ガイド溝に係合）、第２の円筒部（直進筒のカムフォロア位置規制部と係合）を備えたカムフォロアを用いた、組立て性の良い鏡筒構成が提案されている。
【先行技術文献】
【特許文献】
【００１０】
【特許文献１】特開２００９−４２３４５号公報
【特許文献２】特開２０１０−１９７６９８号公報
【発明の概要】
【発明が解決しようとする課題】
【００１１】
しかしながら、特許文献１に記載のレンズ保持枠においては、カムフォロアをビスで引き込んで固定しており、カムフォロアに対してアクセスすることが困難であり等分差調整を行うことが難しい。
【００１２】
また、特許文献２に記載の構成では、組立て時のバラツキによる倒れ変動を抑制可能だが、部品バラつきによる倒れ変動を抑制することはできない。
【００１３】
本発明の目的は、直進ガイド筒とカム筒の外側に直進筒が配置される構成において、公差による部品バラつきが生じても、倒れ変動を解消するための調整を可能としたレンズ鏡筒及びそれを有する光学機器を提供することにある。
【課題を解決するための手段】
【００１４】
上記目的を達成するために、本発明に係るレンズ鏡筒の代表的な構成は、直進溝の形成された直進ガイド筒と、カム溝の形成されたカム筒と、前記直進ガイド筒および前記カム筒の外側にあって、レンズを保持すると共に、前記直進ガイド筒と前記カム筒の相対移動により光軸方向に移動する直進筒と、前記直進溝、前記カム溝に夫々係合する中心軸が互いに偏心した第１の円筒部、第２の円筒部、および前記直進筒の外側から前記第１の円筒部及び前記第２の円筒部を回転操作可能な操作部を備えるカムフォロアと、前記カムフォロアと前記直進筒と、を連結する連結部材と、を有することを特徴とする。
【発明の効果】
【００１５】
本発明によれば、直進ガイド筒とカム筒の外側に直進筒が配置される構成において、公差による部品バラつきが生じても、倒れ変動を解消するための調整を可能としたレンズ鏡筒及びそれを有する光学機器を提供できる。
【図面の簡単な説明】
【００１６】
【図１】（ａ）は本発明の実施形態に係るレンズ鏡筒の分解斜視図、（ｂ）は光軸方向から眺めた等分差調整の概念図である。
【図２Ａ】（ａ）は本発明の実施形態に係るレンズ鏡筒の要部断面図、（ｂ）は本発明の実施形態に係るレンズ鏡筒の要部拡大斜視図である。
【図２Ｂ】（ｃ）は本発明の実施形態に係るレンズ鏡筒の要部断面図（拡大断面図）である。
【図３】本発明の実施形態に係るレンズ鏡筒の外周面側から眺めた等分差調整の周方向概念図である。
【図４】本発明の実施形態に係るレンズ鏡筒を適用した光学機器としてレンズ交換式デジタル一眼レフカメラの断面図である。
【発明を実施するための形態】
【００１７】
以下に、本発明の好ましい実施の形態を、添付の図面に基づいて詳細に説明する。
【００１８】
《第１の実施形態》
（光学機器としての撮像装置）
図４は本発明のレンズ鏡筒を光学機器として撮像装置であるレンズ交換式デジタル一眼レフカメラに適用したときの断面図である。図４では、レンズ光軸（撮影光軸）の方向をＺ方向とし、レンズ光軸に対して直交する方向であって、撮像面に平行な２方向のうち図４の紙面垂直方向をＸ方向、図４の縦方向をＹ方向としている。
【００１９】
１はカメラ装置としてのカメラボディ（以下、単に「カメラ」という）、２はカメラ１に装着された、レンズ鏡筒としての交換レンズである。まず、カメラ１の構造について説明する。図４で示した状態において、メインミラー１３は交換レンズ２からの光束の光路上に配置され、その光束の一部を反射してファインダ光学系（１１、１２）に導き、かつ残りの光束を透過させる。メインミラー１３の背後にはサブミラー１４が配置されており、メインミラー１３を透過した光束を反射して焦点検出ユニット１５に導く。なお、メインミラー１３およびサブミラー１４は、不図示の駆動機構により上記光路から退避することが可能となっている。
【００２０】
焦点検出ユニット１５はＡＦセンサを有し、いわゆる位相差検出方式での焦点検出（交換レンズ２の焦点状態の検出）を行う機能を持つ。ＡＦセンサは、入射した光束を２つに分割するセパレータレンズと、各分割光束を再結像させる２つのコンデンサレンズと、結像した２つの被写体像をそれぞれ光電変換するＣＣＤセンサ等のラインセンサ等から構成される。なお、ラインセンサは、被写体の縦方向（Ｙ方向）と横方向（Ｘ方向）の像位置を検出するよう十字型に配置されている。
【００２１】
１６はＣＣＤセンサ又はＣＭＯＳセンサにより構成される撮像素子であり、この撮像素子１６の受光面（撮像面）上には、交換レンズ２からの光束で像が形成される（レンズ鏡筒により形成された光学像を光電変換する）。撮像素子１６は、結像した被写体像を光電変換し、撮像信号を出力する。また、不図示の電子制御式フォーカルプレーンシャッタにより、撮像素子１６の露光量を制御する。ファインダ光学系は、ペンタプリズム１１と、接眼レンズ１２とを有している。１７はディスプレイパネルであり、撮像素子１６の信号を入力とした不図示の信号処理部から出力される画像やその他様々な撮影情報を表示する機能を持つ。
（交換レンズ）
交換レンズ２は、被写体側から順に第１レンズユニット２１、第２レンズユニット２２、第３レンズユニット２３、第４レンズユニット２４、第５レンズユニット２５で構成された、いわゆる広角ズームレンズである。第２レンズユニットがフォーカスレンズユニット、第４レンズユニットが防振レンズユニットとしての役割を備えている。第２レンズユニット２２、第３レンズユニット２３、第５レンズユニット２５は、レンズユニットベース２６に対して取り付けられており、ズーミング作時には一体となって移動する。
【００２２】
また、絞りユニット２７が第３レンズユニット２３の物体側に、副絞りユニット２８が第４レンズユニット２４の物体側に配置されており、交換レンズ２内を通過してカメラ１側に至る光量を調節する。なお、上記第１〜第５レンズユニット、絞りユニット、および副絞りユニットにより撮影光学系が構成されている。第２レンズユニット２２は、ズーミング時は第３レンズユニット２３、第５レンズユニット２５と共に移動するが、フォーカシング時にはフォーカス駆動部ユニット２９からの駆動力を受けて光軸上を移動し、焦点調節を行う。
【００２３】
また、撮影者によってズーム操作環３０が光軸中心に回転するように操作されると、不図示の伝達機構により駆動力が伝達されることによって、上記撮影光学系全体が定められた軌跡でレンズ光軸上を移動し、ズーミングを行う。ズーミングは、不図示の伝達機構により副絞りユニットが移動し、定められた光量に調整する。なお、防振レンズユニットである第４レンズユニット２４がＸ−Ｙ平面内で駆動されることで、手振れ補正を行う。
【００２４】
（レンズ鏡筒）
次に、交換レンズ２のレンズ鏡筒の構造について詳細に説明する。図４で３１は直進ガイド筒（直進ガイド部材）であり、直進ガイド筒はカム筒３２（カム部材）の光軸方向への移動を阻止するとともに光軸周りの回転を案内する３個のコマ部材３３を備える。直進ガイド筒３１は、第１レンズユニット鏡筒３４、レンズユニットベース２６、及び手振れ補正ユニットベース３５をそれぞれ直進案内する各直進溝３１１、３１２、３１３を各３本ずつ（３１２、３１３は不図示）備える。また、直進ガイド筒は、手振れ補正ユニットベースが進退した時に副絞りユニットに回転を伝達するための不図示のカム溝を備える。      
【００２５】
カム筒３２は、第１レンズユニット鏡筒３４、レンズユニットベース２６、および手振れ補正ユニットベース３５をそれぞれ案内する各カム溝３２１、３２２、３２３を各３本ずつ備える。また、カム筒３２は、ズーム操作環３０から伸びた回転伝達部材である不図示のキー部材によって撮影者による回転力で光軸中心に回転し、上記直進溝とカム溝によって回転力を直進方向に変換して各レンズユニットを光軸方向に移動させる。
【００２６】
直進ガイド筒３１には、固定筒３６がビス等の固定手段によって固定されており、固定筒３６は、メイン回路基板３７を取付けるための取付部と、マウント３８を取付けるための取付部、外装筒３９の取付部を備えている。
【００２７】
３０はズーム操作環であり、固定筒３６に対して定位置で回転自由に係合され、キー部材によって回転力をカム筒３２に伝達する。また、３９はフォーカス操作環であり、直進ガイド筒３１の周方向のガイド溝と嵌合して、光軸周りに回転可能にするためのコロを備える。さらに、フォーカス環３９はフォーカス駆動ユニット２９と係合し、フォーカスレンズユニットである第２レンズユニットへと駆動力を伝えるが、ＡＦ（オートフォーカス）時には操作環へは回転力を伝えない。即ち、所謂フルタイムマニュアル機構をフォーカス駆動ユニット内に備えている。
【００２８】
４０は直進筒であり、直進ガイド筒３１とカム筒３２の外側に配置され、直進ガイド筒３１の直進溝３１１（図１（ａ））とカム筒３２のカム溝３２１（図１（ａ））によって、第１レンズユニット２１用のカムフォロア４１を介して直進繰り出しされる。レンズユニットベース２６、及び手振れ補正ユニットベース３５は、カムフォロアを介して直進溝３１１を含め周方向１２０度毎に設けられる３つの直進溝と、カム溝３２１を含め周方向１２０度毎に設けられる３つのカム溝により直進繰り出しされる。
【００２９】
なお、このカム溝は、ズーミング（ピントずれを抑えた変倍）、もしくはフォーカシング（合焦）によって使用位置が変化したときに、直進溝との為す角の正負の符号が反転するものを用いることができる。
【００３０】
図４で、前枠４２は、直進ガイド筒３１へ締結固定される。さらに、前枠４２は、フィルタ等のアクセサリを装着するためのネジ部と、フード等のアクセサリを装着するためのツバ部を有している。４３は外装筒であり、装飾のために内部部品を覆うカバー部材であり、不図示のモード切り替え手段や銘板取り付け部を備えている。
【００３１】
３４は第１レンズユニット２１を保持する第１レンズユニット鏡筒であり、直進筒４０に対して調整環４４を介して固定されている。結果として、第１レンズユニット２１は直進筒４０に実質的に保持される関係となる。調整環４４は、直進筒４０に対してＸ−Ｙ平面内に偏芯調整可能な不図示の調整構造を備えており、光学性能が最適になるように調整可能である。また、調整環４４に対して第１レンズユニット鏡筒が光軸方向に移動可能なように、調整環４４と第１レンズユニット鏡筒には、所謂、端面カムが設けられており、光軸中心に回転させることで光学性能が最適になる位置に光軸方向の位置を調整可能となっている。
【００３２】
４５は第２レンズユニット鏡筒であり、レンズユニットベースに対してフォーカス駆動ユニット２９の駆動力によりフォーカスカム筒４６が回転され、不図示のフォーカスカムフォロアを介して光軸方向に相対駆動される。また、４７は第３レンズユニット鏡筒であり、レンズユニットベース２６に対して不図示の偏芯コロを用いて、Ｘ−Ｙ平面内で偏芯調整可能に固定されている。
【００３３】
４８は第４レンズユニット鏡筒であり、直進溝３１３、カム溝３２３にカムフォロアによって吊られる手振れ補正ユニットベース３５とＸ−Ｙ平面内でシフトすることで手振れの補正を行うシフト鏡筒、シフト鏡筒を駆動させる駆動部材を備える。第４レンズユニット鏡筒４８は、さらに第２レンズを保持する保持部を備える。また、４９は第５レンズユニット鏡筒であり、レンズユニットベースに対して不図示の偏芯コロを用いて、Ｘ−Ｙ平面内で偏芯調整可能に固定されている。
【００３４】
３８はマウント部材で、カメラ本体への取付けのためのツバ部を備えている。２９はフォーカス駆動ユニットで、フォーカスカム筒４６を光軸周りに回転させる。５０は接点部材で、その片端がメイン回路基板３７に接続されている接点部を有し、カメラ本体に取付けた時にカメラ本体の接点部と接触して、カメラ本体との情報伝達を行うようになっている。
【００３５】
このような構成のレンズ鏡筒において、不図示のレリーズボタンの操作がなされると、オートフォーカス、露出決定動作の後、撮像素子の露光及び取得された画像の記録動作がなされる。以上が個々の部材の説明である。
【００３６】
（主な部品の相互関係）
次に、本発明に関わる主な部品の相互関係について説明する。図２Ａの（ｂ）は、レンズ鏡筒の一部分の拡大斜視図であり、直進筒４０、カムフォロア４１、直進筒４０とカムフォロア４１を締結によって連結する連結部材５１を示している。なお、図２Ａの（ｂ）においては、理解を容易にするために必要な部品のみの構成としている。また、図２Ａの（ａ）は、図２Ａの（ｂ）と同じ部位の要部断面図である。また、図２Ｂの（ｃ）は、１群用カムフォロア４１と連結部材５１の拡大断面図である。
【００３７】
図２Ａの（ａ）で、カムフォロア４１は、直進ガイド筒３１の直進溝３１１に係合する第１の円筒部４１１と、カム筒３２のカム溝３２１に係合する第２の円筒部４１２を備える。また、カムフォロア４１は、連結部材５１の固定部４１３、連結部材５１との位置決めの役割を持つ位置決め部４１４を備える。また、工具等で組込み後に回転操作可能な、直進筒４０の外側に露出された操作部としての露出部４１５ａ、４１５ｂ、直進筒４０と当接する当接部４１６を有する。
【００３８】
この操作部としての露出部４１５ａ、４１５ｂは、直進筒４０の外側から第１の円筒部４１１及び第２の円筒部４１２を回転操作可能とする。そして、カムフォロア４１は、これらが一体化されて形成されている。
【００３９】
また、本実施形態では、第１の円筒部４１１、及び第２の円筒部４１２は、例えばＰＯＭ（Ｐｏｌｙｏｘｙｍｅｔｈｙｌｅｎｅ）のような樹脂材料で構成される。その他の部位は、金属のような高剛性材料で構成されており、両者の結合は、所謂、インサート成型によってなされている。さらに、レンズ光軸に対してより遠い側に位置する第２の円筒部４１２と連結部材５１は、軸中心（回転軸）が一致する共軸となっている。
【００４０】
その一方で、図２Ｂの（ｃ）のように、レンズ光軸に対してより近い側に位置する第１の円筒部４１１の円筒軸Ｌ４１１と、第２の円筒部４１２の円筒軸Ｌ４１２（第２の円筒部４１２の回転軸）は一致していない。すなわち、第１の円筒部４１１は第２の円筒部４１２に対して円筒軸中心が偏芯して構成される。
【００４１】
連結部材５１は、直進筒４０に対して１群用カムフォロア４１を引き込んでビス締結するための引き込み部５１１、及び固定部５１２、カムフォロア４１と直進筒４０の位置決めのための位置決め部５１３から構成されている。
【００４２】
直進筒４０は、連結部材５１の位置決め部４０１（穴部）、連結部材５１の引き込み部５１１と当接する当接部４０２、カムフォロア４１と当接するカムフォロア当接部４０３からなる。なお、直進筒４０の連結部材当接部４０２は、後述するカムフォロア４１による調整時に回転負荷を減らすように、連結部材５１との接触面を限定した構成としている。また、連結部材当接部４０２と同様に、カムフォロア４１の当接部４１６における直進筒４０の接触面も限定した構成としている。
【００４３】
（組込み方法）
図１（ａ）は、上記構成の分解斜視図である。理解を容易にするために、直進ガイド筒３１を含むその他の部品は省略している。組込み時は、直進溝３１１とカム溝３２１に対して、カムフォロア４１の第１の円筒部４１１、第２の円筒部４１２が係合するように外側からカムフォロア４１をセットする。そして、直進筒４０を図１（ａ）の矢印方向からスライドさせてセットする。その後、連結部材５１を直進筒４０の位置決め部４０１、及び、カムフォロア４１の位置決め部４１４に挿通させ、固定部４１３にてカムフォロア４１を組み込む。
【００４４】
組込み後も、カムフォロア４１は直進筒４０に対して上述したように接触面を限定している。このため、後述するようにカムフォロア４１は第２の円筒部４１２の軸中心に回転可能で（１群用カムフォロア４１は第２の円筒部４１２の円筒軸を中心にして回転可能で）、直進筒４０の位置は直進溝３１１に対して周方向に調整可能である。
【００４５】
そして、後述する調整を行った後、直進筒４０とカムフォロア４１は相対回転しないように、不図示の固定手段を用いて固定される。尚、本実施形態においては接着剤によって固定を行う。上記の直進溝３１１、カム溝３２１、カムフォロア４１、連結部材５１、直進筒４０によって本発明の特徴である調整機構が構成されている。
【００４６】
（調整方法）
次に、直進筒４０の周方向における部品公差の調整の方法について説明する。カムフォロア４１において、上述したように直進溝３１１に係合する第１の円筒部４１１が、カム溝３２１に係合する第２の円筒部４１２に対して偏芯している。そして、組込み後に直進筒４０の外側に露出したカムフォロア４１の露出部４１５を、不図示の工具等により第２の円筒部４１２の軸中心に回転操作することが可能である。
【００４７】
この回転操作によって、第１の円筒部４１１（レンズ光軸により近い側）が第２の円筒部４１２（レンズ光軸により遠い側で連結部材５１と同軸）の軸中心に公転する（図１（ｂ）、図３）。つまり、第１の円筒部４１１が、第２の円筒部４１２の円筒軸を回転軸として回転（回動）する。これにより、第１の円筒部４１１が係合する直進溝３１１に対して直進筒４０を相対的に周方向（円周方向）にずらすことが可能となる。
【００４８】
なお、図３には、２つの第１の円筒部４１１と２本の直進溝３１１が図示されているが、それらは、第１の円筒部４１１が公転し、それに伴い、直進溝３１１に対して第２の円筒部４１２（直進筒４０）が相対的に周方向（円周方向）にずれる様子を表わしている。また、図３の点線部は、第１の円筒部４１１が公転したときの、第１の円筒部４１１の円筒軸の移動軌跡を表わしている。
【００４９】
このように、部品公差により、複数の直進溝３１１（実施例では３本）が直進ガイド筒３１の周方向（円周方向）において等間隔に形成されず、多少誤差を持って形成されたとしても、部品公差を調整することが可能となる。すなわち、直進溝３１１に対して直進筒４０を相対的に周方向（円周方向）に移動させることにより、当該部品公差による直進筒４０の偏心が調整される。この結果、直進筒４０の周方向における部品公差を調整することが可能となる。
【００５０】
具体的な調整の程度に関しては、直進筒４０の物体側の端面にミラーを設置し、ミラーに光を照射してその反射光の位置が広角側と望遠側で変化が少なくなるように調整を行う。この場合、反射光の位置は、直進筒４０の倒れを間接的に指し示す指標となる。
【００５１】
本実施形態における直進筒４０の繰り出しに用いられるカム溝３２１は、図１（ａ）で示すように望遠端で他のカム溝３２２、３２３と同じく、広角側に行くにつれて物体側へと移動する。そして、広角端では傾きが逆方向となる所謂Ｕターンカムを形成している。そのため、部品公差による広角側と望遠側での第１レンズユニット２１の倒れの変動が大きく、光学性能の劣化の大きな要因となるため、本発明による調整の効果は大きなものとなっている。
【００５２】
なお、ここで挙げた部品公差とは、直進筒４０の位置決め部４０１の等分差に限られない。各直進溝３１１の等分差（角度公差）、各カム溝３２１の等分差、連結部材５１、カムフォロア４１の各位置決めガタ、カムフォロア４１の位置決め部４１４と各円筒部の同軸度に関するものも含む。また、カムフォロア４１の円筒部、及び位置決め部の当接部に対する直角度、連結部材の引き込み部５１１に対する位置決め部５１３の直角度、等も含む。
【００５３】
（変形例）
以上、本発明の好ましい実施形態について説明したが、本発明はこれらの実施形態に限定されず、その要旨の範囲内で種々の変形及び変更が可能である。
【００５４】
（変形例１）
上述した実施形態では、光軸に近い側に直進ガイド筒、その外側にカム筒を設けたが、本発明はこれに限らず、直進ガイド筒とカム筒の配置を逆転させても良い。この場合、レンズの光軸に近い側にカム溝（３２１）の形成されたカム筒、その外側に直進溝（３１１）の形成された直進ガイド筒（３１）を備える。そして、直進ガイド筒およびカム筒の外側にあって、レンズを保持すると共に、直進ガイド筒とカム筒の相対移動により光軸方向に移動する直進筒（４０）を備える。
【００５５】
カムフォロアの円筒部の形状は円筒に限られず、本発明の効果が得られるならば、他の形状であってもよい。特に、直進溝に係合する円筒部が多角形筒（多角形状の筒）の場合には、円筒の場合と比べて調整精度は劣るものの、調整し易さが向上するなどの効果が得られる。
【００５６】
また、この場合、カムフォロアが、直進溝、カム溝に夫々係合する中心軸が互いに偏心した第１の円筒部４１１、第２の円筒部４１２を備える。更に直進ガイド筒と直進筒の間にあって第１の円筒部の中心軸を回転軸とし直進筒の外側に露出した回転操作部（操作部）を備える。この操作部は、直進筒の外側から第１の円筒部及び第２の円筒部を回転操作可能とする。
【００５７】
更にカムフォロアと、直進筒とを連結する連結部材を備える。そして、第２の円筒部４１２の中心軸である回転軸の周りの第１の円筒部４１１の動き（回動）により直進筒４０の周方向位置を調節可能である。
【００５８】
（変形例２）
また、本実施形態ではカムフォロア４１の露出部４１５は、４１５ａの工具つまみ部と、４１５ｂのように位置決め部４１４に対して対称な２個の工具穴の２種類を備えているが、上記例に限定されるものではない。例えば、穴形状ではなく凸ダボを設けることで代用することも可能である。また、４１５ｂの２個の穴は１個だけで使用してもよい。
【００５９】
（変形例３）
なお、上記実施形態においてはカムフォロア４１をズーム機構の一部である直進筒に用いたが、本発明はそれに限定されるものではない。例えば、フォーカス機構の一部にカムフォロアを用いても良い。また、カムフォロア４１は周方向に３個設ける場合に限らず、周方向に３個以外の複数個設けられる、もしくは周方向に１個だけ設けられるものでも良い。
【００６０】
（変形例４）
さらに、本実施形態は、レンズ交換式デジタル一眼レフカメラのレンズ鏡筒について説明したが、本発明は、レンズ一体側のデジタルカメラ、さらにはビデオカメラ等のレンズ鏡筒にも同様に適用することができる。
【符号の説明】
【００６１】
３１・・直進ガイド筒
３２・・カム筒
４０・・直進筒
４１・・カムフォロア
５１・・連結部材
３１１・・直進溝
３２１・・カム溝
４１１・・第１の円筒部
４１２・・第２の円筒部
【図１】
2015028599.tif 000003
【図２Ａ】
2015028599.tif 000004
【図２Ｂ】
2015028599.tif 000005
【図３】
2015028599.tif 000006
【図４】
2015028599.tif 000007